(57)【要約】      （修正有）【課題】単純な単一のキーによる正逆回転操作によって、ウォール単体の上辺と下辺の係止片及び壁面との当接を確実にする係止片並びに隅角部の間隙を閉塞する上下の当片による係合，解放を行うようにした移動型間仕切りウォールの壁面当接用ウォール単体の係止装置を提供する。【解決手段】部屋を構成する空間の天井Ｘに配設したレールに沿って移動できる多数の間仕切り用の長方形のウォール単体１Ａを、予め設定された大きさの間仕切りに設定する際、ウォール単体の上辺と下辺に設けられる係止片２を、空間の床面Ｙと天井に上下動自在に係止させると共に、ウォール単体の壁面Ｚに当接する側辺に設けられる係止片と、該係止片と上下辺に設けられる係止片との間の隅角部の間隙を閉塞する当片とを移動させて係止させ、ウォール単体の移動を阻止して固定する移動型間仕切りウォール単体の係止装置とする。【選択図】図１
0003150878.tif 000002
【実用新案登録請求の範囲】
【請求項１】
部屋を構成する空間の天井に配設したレールに沿って移動できる多数の間仕切り用の長方形のウォール単体を、予め設定された大きさの間仕切りを設定する際、ウォール単体の上辺と下辺に設けられる係止片を、空間の床面と天井に上下動自在に係止させると共に、ウォール単体の壁面に当接する側辺に設けられる係止片と、該係止片と上下辺に設けられる係止片との間の隅角部の間隙を閉塞する当片とを移動させて係止させ、ウォール単体の移動を阻止して固定する移動型間仕切りウォール単体の係止装置であって、
ウォール単体外に臨まれる鍵孔に挿通されるキーと係合する回動体の対向位置に、前記鍵孔よりの長さを異にする長短２通りの掛止部を設け、この掛止部と軸支させたアームを上下方向に移動する上杆及び下杆とを枢支させ、前記上杆及び下杆及び夫々のアームを夫々上下の異なる横杆内の案内孔内に挿通させて、前記上杆及び下杆の先端にバネ機構を介して、天井及び床面と弾性的に係止できる係止片を設けると共に、前記上杆の中間には支杆を設けて横方向に移動する横杆と軸支し、横杆の端部にはウォール単体の側面に設けられる壁面と当接する係止片とバネ機構を介して接続し、更に前記横杆には上下動する上行杆及び下行杆と、枢支する二又杆をバネ機構を介して接続し、上行杆及び下行杆に設けた当片を、壁面と天井との間に形成される隅角部の空隙を遮蔽できるようにして成ることを特徴とする移動型間仕切りウォールの壁面当接用ウォール単体の係止装置。
【請求項２】
ウォール単体は、両側面に係止片及び、壁面と天井との間の隅角部の空隙を遮蔽する当片を設けて成ることを特徴とする請求項１記載の移動型間仕切りウォールの壁面当接用ウォール単体の係止装置。
【考案の詳細な説明】
【技術分野】
【０００１】
本考案は、スライディングウォール（登録商標）とかランニングウォールなどの床面上を任意の広さに仕切るために用いられる移動型間仕切りウォールの壁面当接用ウォール単体の係止装置に関する。
【背景技術】
【０００２】
一般に、この種の移動型間仕切りウォールは、多数の長方形状のウォール単体を天井に設けられるレールに沿って吊下状態で床面上を移動させ、予め定められた広さの間仕切りができるようになっている。そして、間仕切りとして使用しない場合は、部屋の片隅部に寄せ集めて重ね合わせた状態で整理して置いて、部屋全体を広く利用できるようになっている（例えば、特許文献１，２参照）。
【０００３】
そして多数のウォール単体は、予め設定された広さの間仕切りを形成するとウォール単体の移動を阻止するための係止片をウォール単体の下辺または上辺と下辺に設けた係止片を上下動させて床面のみまたは床面と天井に係止させて不用意に間仕切りが崩れるのを防止している。
【先行技術文献】
【特許文献】
【０００４】
【特許文献１】特開平１０−１４０９２０号公報
【特許文献２】特開平７−２５２９７７号公報
【考案の概要】
【考案が解決しようとする課題】
【０００５】
上述の特許文献１，２に示される移動型ウォールでは、ウォール単体の係止構造は明示されていないが、概して、構造が複雑で、しかもハンドルレバーによる回転操作によって、各ウォール単体の下辺または上辺と下辺に設けられる係止片を上下動させており、操作性が極めて悪く時間が掛かり、迅速，能率的な間仕切りができないという不都合があった。
【０００６】
そして、特に壁面当接用ウォール単体の場合は、単体の下辺及び上辺に設けた係止片と、壁面と当接する側辺に設けた係止片と、前記両係止片との間に形成される上下の隅角部の間隙を閉塞する上下の当片を、各別の異なる操作によって行っているのが現状である。
【０００７】
したがって、ウォール単体を室内で固定する場合、又は解放する場合、夫々の異なる操作を順序よく行わなければならず、往々にして操作順序を間違えて故障を生ずるという問題があった。
【０００８】
本考案は叙上に点に着目して成されたもので、単純な単一のキーによる正逆回転操作によって、ウォール単体の上辺と下辺の係止片及び壁面との当接を確実にする係止片並びに隅角部の間隙を閉塞する上下の当片による係合，解放を行うようにした移動型間仕切りウォールの壁面当接用ウォール単体の係止装置を提供することにある。
【課題を解決するための手段】
【０００９】
本考案は、以下の構成を備えることにより上記課題を解決できる。
【００１０】
（１）部屋を構成する空間の天井に配設したレールに沿って移動できる多数の間仕切り用の長方形のウォール単体を、予め設定された大きさの間仕切りを設定する際、ウォール単体の上辺と下辺に設けられる係止片を、空間の床面と天井に上下動自在に係止させると共に、ウォール単体の壁面に当接する側辺に設けられる係止片と、該係止片と上下辺に設けられる係止片との間の隅角部の間隙を閉塞する当片とを移動させて係止させ、ウォール単体の移動を阻止して固定する移動型間仕切りウォール単体の係止装置であって、
ウォール単体外に臨まれる鍵孔に挿通されるキーと係合する回動体の対向位置に、前記鍵孔よりの長さを異にする長短２通りの掛止部を設け、この掛止部と軸支させたアームを上下方向に移動する上杆及び下杆とを枢支させ、前記上杆及び下杆及び夫々のアームを夫々上下の異なる横杆内の案内孔内に挿通させて、前記上杆及び下杆の先端にバネ機構を介して、天井及び床面と弾性的に係止できる係止片を設けると共に、前記上杆の中間には支杆を設けて横方向に移動する横杆と軸支し、横杆の端部にはウォール単体の側面に設けられる壁面と当接する係止片とバネ機構を介して接続し、更に前記横杆には上下動する上行杆及び下行杆と、枢支する二又杆をバネ機構を介して接続し、上行杆及び下行杆に設けた当片を、壁面と天井との間に形成される隅角部の空隙を遮蔽できるようにして成ることを特徴とする移動型間仕切りウォールの壁面当接用ウォール単体の係止装置。
【００１１】
（２）ウォール単体は、両側面に係止片及び、壁面と天井との間の隅角部の空隙を遮蔽する当片を設けて成ることを特徴とする前記（１）記載の移動型間仕切りウォールの壁面当接用ウォール単体の係止装置。
【考案の効果】
【００１２】
本考案によれば、ウォール単体、特に壁面と当接するウォール単体が部屋空間で固定される場合、床面，天井が係止片で固定されると同時に、壁面との当接が係止片によって確固に固定され、併せて壁面と天井との隅角部の空隙を上下の当片で遮蔽されるので、完全な気密状態の空間部屋ができる。
【００１３】
しかも、狭い通路に相当するカーテンウォール単体の幅員の大きさの場所も、ウォール単体の両側より係止片を設けることにより完全に遮蔽できる。
【００１４】
更に、鍵孔には単に一個のキーを用いて回動させるだけで、しかも回動角度は６０度位の駆動で回転体を介して、上下杆，横杆をそれぞれのバネ機構を介して段階的に働かせることができるので、無理がなく円滑に操作でき、組立てる場合も片付ける場合もキー一本の正逆回動操作で行えるので、間違いなく正確に行うことができる。
【図面の簡単な説明】
【００１５】
【図１】本考案に係る移動型間仕切りウォールの壁面当接用ウォール単体の係止装置の一実施例を示す内部構造の概略正面図で、（ａ）は壁面が片方だけの場合、（ｂ）は両方の場合を示す
【図２】要部構成の斜視図
【図３】図２の作動状態の斜視図
【図４】鍵孔に係脱するキーの拡大斜視図
【図５】移動型間仕切りウォールの一般概念を示す平面図
【考案を実施するための形態】
【００１６】
以下に、本考案の一実施例を図面と共に説明する。
【実施例】
【００１７】
図面において、１，１……は、多数の仕切り用の長方形ウォール単体を示し、例えば、不使用時には図５に示すように部屋の空間の一側に実線で示すように整理集束されており、間仕切りとして用いる時は、天井に穿ったレール（図示せず）に沿って、手前のウォール単体１から順次と仮想線のように引き出し、予め設定された仕切りに配列して所望の部屋を区劃できる。
【００１８】
１Ａは壁面当接用ウォール単体を示し、２は上下辺に配設したゴム製の緩衝機能を有する係止片であって、天井Ｘ及び床面Ｙと弾性的に当接できるように構成されているが、下辺の係止片２は省略しても良い。
【００１９】
３，３は前記係止片２，２を上下動させるための上杆，下杆で、バネ機構（コイルバネ）４，４を介して緩衝状態で支杆５，５を介在させて働かせている。
【００２０】
６は、ウォール単体１Ａの一側に配設されるゴム製の緩衝機能を有する係止片で、横杆７の働きにより壁面Ｚとの当接解放が行われる（図１（ａ））。
【００２１】
なお、図１（ｂ）に示すように、係止片６は反対側の側面にも設けて、横杆７により両方の壁面Ｚとの当接解放を行うことができる。
【００２２】
８，８は上杆３及び下杆３を案内する挿通孔９，９を穿った上下の横支板、１０，１０は該横支板に前記挿通孔９，９と隣接した長孔を示し、前記上杆３，下杆３と軸支させたアーム１１，１１を、長孔１０，１０に沿って移動自在に挿通させてある。
【００２３】
１２は、前記横杆７の端部に設けて開閉自在に枢支させた二又杆で、係止片６の壁面Ｚへの押圧操作と、押圧操作後、二又杆１２の腕杆１２ａ，１２ａにより、バネ機構１３，１３に抗して上支杆１４，下支杆１４を上下行させ、さらにバネ機構１５，１５を有する押杆１６，１６を働かせ、この押杆１６，１６の端部に設けたゴム製の緩衝を有する当板１７，１７により天井Ｘと壁面Ｚとウォール単体１Ａの隅角部の空隙を遮蔽することができる。
【００２４】
１８は、鍵孔１９を備えたクランク状の回動体で、前記鍵孔１９よりの長さを異にする長短２通りの掛止部１８ａ，１８ｂを備えると共に、前記アーム１１，１１と枢支させてある。２０は上杆３に一端を軸支し、他端を横杆７と枢支させた支杆を示し、上杆３の上行，下行に応じて横杆７を横方向で往復動させることができる。
【００２５】
２１は、前記鍵孔１９と係合するキーを示し、Ｌ字状の構造を備え、短尺側の先端には６角形状の係止部２１ａを有し、鍵孔１９の６角形状の係止部１９ａと係合できるようになっている。そして、長尺側にはハンドル部２１ｂが形成され、このハンドル部２１ｂを挟持して、前記クランク状の回動体１８を軽快に回動させることができる。
【００２６】
叙上の構成において、多数のウォール単体１を用いて求める大きさの部屋空間を形成するに際し、壁面Ｚと当接する壁面当接用ウォール単体１Ａを固定する時は、鍵孔１９内にキー２１を係入し、キー２１を回動させれば、クランク状の回動体１８は回動し、長短２様の掛止部１８ａ，１８ｂは回動し、アーム１１，１１により上杆３，下杆３はそれぞれバネ機構４，４に対抗して係止片２，２を、上行，下行させ、係止片２，２が天井Ｘおよび床面Ｙとの隙間を完全に閉塞することができる。
【００２７】
併せて、上杆３の途中に設けられた支杆２０の横方向への作用力を受けて横杆７は従動し、二又杆１２により係止片６を壁面Ｚ側へ移動させ、壁面Ｚとの間隙を完全に塞ぐことができると同時に、二又杆１２の上下方向への拡開作用によって上下の当板１７，１７が天井Ｘと壁面Ｚと係止片２と６との間に形成される隅角部の空隙をも閉塞して完全な密閉状態を形成できる。
【００２８】
なお、クランク状の回動体１８の回動位置は、バネ機構の死点を越えた位置で係止できるので、閉塞状態を確保できる。
【００２９】
次に、解放する時は、キー２１を反対方向に回動すれば、クランク状の回動体１８は旧の位置に戻り、上杆３，下杆３並びに横杆７も同様に旧位置に戻り、係止片２，２，６、及び当板１７，１７も旧位置に戻り、ウォール単体１と共に壁面当接用ウォール単体１Ａを現状に復帰させることができる。
【００３０】
単にキー２１一本の回動操作で、天井Ｘ，床面Ｙおよび壁面Ｚの隙間を係止片２，６、そして当板１７，１７による連動操作が働き、簡単かつ迅速に行わせることができる。
【符号の説明】
【００３１】
１    ウォール単体
１Ａ  壁面当接用ウォール単体
２    係止片
３，３    上杆，下杆
４    バネ機構（コイルバネ）
５    支杆
６    係止片
７    横杆
８    横支板
９    挿通孔
１０    長孔
１１    アーム
１２    二又杆
１２ａ  腕杆
１３    バネ機構
１４，１４    上支杆，下支杆
１５    バネ機構
１６    押杆
１７    当板
１８    回動体
１８ａ，１８ｂ    掛止部
１９    鍵孔
１９ａ  係止部
２０    支杆
２１    キー
２１ａ  係止部
２１ｂ  ハンドル部
Ｘ    天井
Ｙ    床面
Ｚ    壁面
【図１】
0003150878.tif 000003
【図２】
0003150878.tif 000004
【図３】
0003150878.tif 000005
【図４】
0003150878.tif 000006
【図５】
0003150878.tif 000007